(57)【要約】【課題】放射線管理区域においてダクトが接続された貫通孔からの放射線漏出を簡単かつ小型の構成で防止することができる放射線遮蔽ダクト構造を提供する。【解決手段】放射線遮蔽ダクト構造１０は、遮蔽壁１２の貫通孔１４に接続されたダクト１６と、貫通孔１４からの放射線漏出を防止する遮蔽カバー１８とを有する。ダクト１６は貫通孔１４の手前側で上向きに屈曲する第１屈曲部２４と、第１屈曲部２４から上向延在部２６を介して水平方向に屈曲する第２屈曲部２８とを備える。遮蔽カバー１８は、貫通孔１４の下部から上向延在部２６を超える位置まで延在する底面板４０と、貫通孔１４の両側方部から上向延在部２６を超える位置まで延在し下部が底面板４０と接続されている一対の側面板４２と、上向延在部２６の手前側に設けられて底面板４０および一対の側面板４２に接続された正面板４４とを備える。【選択図】図１
2019113452.tif 000002
【特許請求の範囲】
【請求項１】
放射線管理区域の遮蔽壁に設けられた貫通孔と、
前記貫通孔に接続または貫通するダクトと、
前記貫通孔からの放射線漏出を防止する遮蔽カバーと、
を有する放射線遮蔽ダクト構造であって、
前記ダクトは、前記貫通孔の手前側で上向きに屈曲する第１屈曲部と、
前記第１屈曲部から上向延在部を介して水平方向に屈曲する第２屈曲部とを備え、
前記遮蔽カバーは、前記遮蔽壁における前記貫通孔の下部から前記上向延在部を超える位置まで延在する底面板と、
前記遮蔽壁における前記貫通孔の両側方部から前記上向延在部を超える位置まで延在し、下部が前記底面板に接続され、上辺が前記貫通孔の上端よりも高い位置となっている一対の側面板と、
前記上向延在部の手前側に設けられて下部が前記底面板に接続され、両側方が一対の前記側面板に接続され、上辺が前記貫通孔の上端よりも高い位置となっている正面板とを備えることを特徴とする放射線遮蔽ダクト構造。
【請求項２】
放射線管理区域の第１遮蔽壁に設けられた貫通孔と、
前記貫通孔に接続または貫通するダクトと、
前記貫通孔からの放射線漏出を防止する遮蔽カバーと、
を有する放射線遮蔽ダクト構造であって、
前記ダクトは、前記貫通孔の手前側で上向きに屈曲する第１屈曲部と、
前記第１屈曲部から上向延在部を介して水平方向に屈曲する第２屈曲部とを備え、
前記遮蔽カバーは、前記第１遮蔽壁における前記貫通孔の下部から前記上向延在部を超える位置まで延在するとともに前記第１遮蔽壁と直交する第２遮蔽壁に接続された底面板と、
前記ダクトを介して前記第２遮蔽壁と対向し、前記第１遮蔽壁における前記貫通孔の側方部から前記上向延在部を超える位置まで延在し、下部が前記底面板に接続され、上辺が前記貫通孔の上端よりも高い位置となっている一対の側面板と、
前記上向延在部の手前側に設けられて下部が前記底面板に接続され、一側方が前記側面板に接続され、他側方が前記第２遮蔽壁に接続され、上辺が前記貫通孔の上端よりも高い位置となっている正面板とを備えることを特徴とする放射線遮蔽ダクト構造。
【発明の詳細な説明】
【技術分野】
【０００１】
本発明は、放射線管理区域の遮蔽壁に設けられた貫通孔と、貫通孔に接続されたダクトと、貫通孔からの放射線漏出を防止する遮蔽カバーとを備える放射線遮蔽ダクト構造に関する。
【背景技術】
【０００２】
医療用リニアック施設や陽子線治療施設などにおける放射線管理区域は照射室と、防護扉に通じる迷路とから構成される。照射室と迷路との間には一部の通路を除いて仕切板が設けられ、照射源と防護扉との間が直接見通せないようになっている。特許文献１に示されるように、放射線管理区域では加速器室や治療室などで温度や湿度を調整するために給気と排気用の空調ダクトが設置される。空調ダクトは迷路における遮蔽壁の天井付近を貫通して外部の空調設備に接続される。
【先行技術文献】
【特許文献】
【０００３】
【特許文献１】特開平０５−１８８１９２号公報
【発明の概要】
【発明が解決しようとする課題】
【０００４】
放射線管理区域の遮蔽壁には断面積が大きい空調ダクト用の貫通孔が設けられる。迷路では放射源からの直接の漏洩線はないが散乱線は存在するため、貫通孔に対する放射線漏洩対策が問題となる。
【０００５】
そのため、リニアック室の迷路では天井付近にある空調ダクトのすぐ下に遮蔽棚が設置される。遮蔽棚は、中性子遮蔽用の１０％酸化ホウ素入りポリエチレン板とガンマ線遮蔽用の鉛板の２層構造とするケースが多く、迷路の幅全体を覆い、長さが４ｍ〜６ｍ程度の大型の付帯設備となっている。遮蔽棚は大型であるためコストが高く、大掛かりな設置作業が必要となる。また、特許文献１では貫通孔の手前部に天井から下方に突出する遮蔽用下がり遮蔽壁を設けているが、特殊構造であってコスト高である。
【０００６】
陽子線治療施設の加速器室では吊り天井構造がなく、また断面積の大きい空調ダクトであるため特別な遮蔽をしてなく、貫通孔から漏洩する実効線量が高くなるという問題がある。口径の小さいスリーブ配管は周面に鉛シートを直接巻くなどの対策も実施されているが、断面積の大きい空調ダクトに鉛シートを直接巻くことは重量の増加が著しいため実用的でない。
【０００７】
本発明は、上記の課題に鑑みてなされたものであって、放射線管理区域においてダクトが接続された貫通孔からの放射線漏出を簡単かつ小型の構成で防止することができる放射線遮蔽ダクト構造を提供することを目的とする。
【課題を解決するための手段】
【０００８】
上述した課題を解決し、目的を達成するために、本発明にかかる放射線遮蔽ダクト構造は、放射線管理区域の遮蔽壁に設けられた貫通孔と、前記貫通孔に接続または貫通するダクトと、前記貫通孔からの放射線漏出を防止する遮蔽カバーと、を有する放射線遮蔽ダクト構造であって、前記ダクトは、前記貫通孔の手前側で上向きに屈曲する第１屈曲部と、前記第１屈曲部から上向延在部を介して水平方向に屈曲する第２屈曲部とを備え、前記遮蔽カバーは、前記遮蔽壁における前記貫通孔の下部から前記上向延在部を超える位置まで延在する底面板と、前記遮蔽壁における前記貫通孔の両側方部から前記上向延在部を超える位置まで延在し、下部が前記底面板に接続され、上辺が前記貫通孔の上端よりも高い位置となっている一対の側面板と、前記上向延在部の手前側に設けられて下部が前記底面板に接続され、両側方が一対の前記側面板に接続され、上辺が前記貫通孔の上端よりも高い位置となっている正面板とを備えることを特徴とする。
【０００９】
また、本発明にかかる放射線遮蔽ダクト構造は、放射線管理区域の第１遮蔽壁に設けられた貫通孔と、前記貫通孔に接続または貫通するダクトと、前記貫通孔からの放射線漏出を防止する遮蔽カバーと、を有する放射線遮蔽ダクト構造であって、前記ダクトは、前記貫通孔の手前側で上向きに屈曲する第１屈曲部と、前記第１屈曲部から上向延在部を介して水平方向に屈曲する第２屈曲部とを備え、前記遮蔽カバーは、前記第１遮蔽壁における前記貫通孔の下部から前記上向延在部を超える位置まで延在するとともに前記第１遮蔽壁と直交する第２遮蔽壁に接続された底面板と、前記ダクトを介して前記第２遮蔽壁と対向し、前記第１遮蔽壁における前記貫通孔の側方部から前記上向延在部を超える位置まで延在し、下部が前記底面板に接続され、上辺が前記貫通孔の上端よりも高い位置となっている一対の側面板と、前記上向延在部の手前側に設けられて下部が前記底面板に接続され、一側方が前記側面板に接続され、他側方が前記第２遮蔽壁に接続され、上辺が前記貫通孔の上端よりも高い位置となっている正面板とを備えることを特徴とする。
【発明の効果】
【００１０】
本発明にかかる放射線遮蔽ダクト構造によれば、貫通孔の手前側延長部の下方、側方および正面が遮蔽カバーによって覆われている。これにより放射線管理区域において貫通孔からの放射線漏出を簡単かつ小型の構成で防止することができる。
【図面の簡単な説明】
【００１１】
【図１】図１は、本実施の形態にかかる放射線遮蔽ダクト構造を示す側面図である。
【図２】図２は、本実施の形態にかかる放射線遮蔽ダクト構造を示す平面図である。
【図３】図３は、遮蔽カバーを示す図であり、（ａ）は遮蔽カバーの展開図であり、（ｂ）は遮蔽カバーの斜視図である。
【図４】図４は、本実施の形態の変形例にかかる放射線遮蔽ダクト構造を示す平面図である。
【発明を実施するための形態】
【００１２】
以下に、本発明にかかる放射線遮蔽ダクト構造の実施形態を図面に基づいて詳細に説明する。なお、この実施形態によりこの発明が限定されるものではない。
【００１３】
図１および図２に示すように、本実施の形態にかかる放射線遮蔽ダクト構造１０は、医療用リニアック施設や陽子線治療施設の放射線管理区域（例えば迷路）に設けられ、放射線管理区域の遮蔽壁１２に設けられた貫通孔１４と、貫通孔１４に接続されたダクト１６と、貫通孔１４からの放射線漏出を防止する遮蔽カバー１８とを有する。ダクト１６は貫通孔１４を貫通していてもよい。放射線遮蔽ダクト構造１０および貫通孔１４は天井に近い位置に設けられている。図１、図２および図４では、遮蔽壁１２，１２ａを基準として矢印Ｘで示すように左側が放射線管理区域であり、矢印Ｘ側を手前側と定義する。
【００１４】
ダクト１６は放射線管理区域の温度や湿度を調整するための給気と排気用の空調ダクトであり、貫通孔１４を介して外部の空調設備に接続されている。ダクト１６および貫通孔１４の断面は、例えば角型で３０ｃｍ×５０ｃｍ程度の大きい面積となっている。
【００１５】
ダクト１６は短い水平の接続部２０で貫通孔１４に接続されており、接続部２０の手前側にはＵ字形状部２２が設けられている。Ｕ字形状部２２は側面視で下向き開口の凹部２２ａが形成される逆Ｕ字形状であって、接続部２０の手前側で上向きに屈曲する第１屈曲部２４と、第１屈曲部２４から上向延在部２６を介して水平方向に屈曲する第２屈曲部２８と、第２屈曲部２８から短い水平部３０を介して下向きに屈曲する第３屈曲部３２と、第３屈曲部３２から下向延在部３４を介して再び水平方向に屈曲する第４屈曲部３６とを備える。第４屈曲部３６から手前側は放射線管理区域に延在して吸排気口に接続される延在部３８となっている。
【００１６】
遮蔽カバー１８は４面の箱形状で底面板４０と、一対の側面板４２と、正面板４４とを備える。底面板４０は遮蔽壁１２における貫通孔１４の下部から上向延在部２６を超える位置まで延在している。一対の側面板４２は遮蔽壁１２における貫通孔１４の両側方部から上向延在部２６を超える位置まで延在して下部が底面板４０と接続されている。正面板４４は上向延在部２６の手前側に設けられて下部が底面板４０に接続され、両側方が一対の側面板４２に接続されている。
【００１７】
側面板４２の高さ幅は貫通孔１４および接続部２０の高さ幅よりも長く（図１参照）、接続部２０および上向延在部２６の略下半分の側方を覆っている。正面板４４と側面板４２は高さ幅が等しく（図１参照）、各上辺が貫通孔１４の上端よりも高い位置となっている。底面板４０の横幅は貫通孔１４の横幅よりも長く（図２参照）、接続部２０および上方延在部２６の下方を覆っている。Ｕ字形状部２２は凹部２２ａにより正面板４４を跨いで遮蔽カバー１８内に入り込んでいる。
【００１８】
遮蔽カバー１８を構成する板材は従来技術にかかる遮蔽棚と同様に、中性子遮蔽用の１０％酸化ホウ素入りポリエチレン板とガンマ線遮蔽用の鉛板の２層構造とする。この板材は放射線施設の条件によっては鉛板のみとしてもいし、１０％酸化ホウ素入りポリエチレン板ではなく純粋なポリエチレン板としてもよい。遮蔽カバー１８は、このような板材を図３（ａ）に示すような展開図として表され、図３（ｂ）に示すように４枚つまり底面板４０、一対の側面板４２および正面板４４を形成する。
【００１９】
このように構成される放射線遮蔽ダクト構造１０では、貫通孔１４の手前側延長部の下方、側方および正面が遮蔽カバー１８によって覆われていることから貫通孔１４への放射線漏出を防止することができる。例えば、図１に示すように下方から貫通孔１４へ向かう放射線Ｌ１は底面板４０によって遮蔽され、略水平方向から貫通孔１４へ向かう放射線Ｌ２は正面板４４によって遮蔽される。また、図２に示すように、側方から貫通孔１４へ向かう放射線Ｌ３は側面板４２によって遮蔽され、略正面方向から貫通孔１４へ向かう放射線Ｌ４は正面板４４によって遮蔽される。放射線Ｌ１〜Ｌ４は遮蔽カバー１８によって遮蔽されるが、図１および図２ではその延長線を破線で示している。なお、放射線遮蔽ダクト構造１０は遮蔽構造の天井に近い箇所に設けられていて直接線および一次散乱線が貫通孔１４へ上方から入射することはなく、放射線漏出は問題のないレベルである。
【００２０】
遮蔽カバー１８は貫通孔１４の放射線管理区域側の近傍を覆うだけの小型、軽量かつ簡単な構造であり、製造および設置施工が容易である。また、放射線遮蔽ダクト構造１０が放射線管理区域の迷路に設けられている場合に、従来技術にかかる遮蔽棚とは異なり、遮蔽カバー１８を迷路の幅や面積に合わせることなく形状を設定できる。遮蔽カバー１８を構成する底面板４０、側面板４２および正面板４４は十分に小さく、材料費が低廉である。
【００２１】
次に、図４を参照しながら本実施形態の変形例にかかる放射線遮蔽ダクト構造１０ａについて説明する。放射線遮蔽ダクト構造１０と同様の構成要素には同符号を付して詳細な説明を省略する。
【００２２】
放射線遮蔽ダクト構造１０ａは、放射線管理区域の第１遮蔽壁１２ａに設けられた貫通孔１４からの放射線漏出を防止するためのものであり、ダクト１６と遮蔽カバー１８ａとを有する。放射線遮蔽ダクト構造１０ａにおけるダクト１６は放射線遮蔽ダクト構造１０におけるものと同様である。貫通孔１４は天井および第１遮蔽壁１２ａと直交する第２遮蔽壁１２ｂに近い場所に設けられている。
【００２３】
遮蔽カバー１８ａは、放射線遮蔽ダクト構造１０における遮蔽カバー１８に相当するものであり、第１遮蔽壁１２ａと第２遮蔽壁１２ｂとの隅部を含みながら貫通孔１４の手前側延長部の下面、側面および正面を覆っている。遮蔽カバー１８ａは遮蔽カバー１８における側面板４２の一方を省略した形状である。つまり、底面板４０は第１遮蔽壁１２ａにおける貫通孔１４の下部から上向延在部２６を超える位置まで延在するとともに第２遮蔽壁１２ｂに接続されている。また、正面板４４は上向延在部２６の手前側に設けられて、一側方が側面板４２に接続され、他側方が第２遮蔽壁１２ｂに接続されている。一枚の側面板４２は放射線遮蔽ダクト構造１０におけるものと同様である。
【００２４】
このような放射線遮蔽ダクト構造１０ａでは、第２遮蔽壁１２ｂの一部が貫通孔１４への放射線漏出防止材として活用され、その分遮蔽カバー１８ａが簡略化されて底面板４０、正面板４４および一枚の側面板４２の合計３枚で構成することができる。放射線遮蔽ダクト構造１０ａは放射線遮蔽ダクト構造１０と同様に放射線が貫通孔１４に漏出することを防止できる。図４ではこのうち遮蔽される放射線Ｌ３，Ｌ４を示している。
【００２５】
なお、放射線遮蔽ダクト構造１０，１０ａにおけるダクト１６の上向延在部２６は垂直である必要はなく多少斜めになっていてもよい。第２屈曲部２８の屈曲の向きは問わず、例えば図１における紙面に垂直な方向に屈曲し、凹部２２ａが側面板４２を跨いでいてもよい。遮蔽カバー１８，１８ａとダクト１６との隙間の大小は問われない。底面板４０、側面板４２および正面板４４は必ずしも平板である必要はなく、例えば一枚板を断面半円状に湾曲させたものを底面板４０および側面板４２の代わりとしてもよいし、あるいは底面板４０および正面板４４の代わりとしてもよい。遮蔽カバー１８，１８ａは必ずしも箱型である必要はなく、例えば底面板４０が実質的にない上方開口の円錐型または角錐型としてもよい。底面板４０、側面板４２および正面板４４は明確に区別される必要はない。第３屈曲部３２および第４屈曲部３６は省略してもよく、例えば図１の仮想線で示すように水平部３０から延在部３８までが一体的構成となっていてもよい。
【００２６】
本発明は、上記した実施形態に限定されるものではなく、本発明の主旨を逸脱しない範囲で自由に変更できることは勿論である。
【符号の説明】
【００２７】
１０，１０ａ  放射線遮蔽ダクト構造
１２  遮蔽壁
１２ａ  第１遮蔽壁
１２ｂ  第２遮蔽壁
１４  貫通孔
１６  ダクト
１８，１８ａ  遮蔽カバー
２０  接続部
２２  Ｕ字形状部
２４  第１屈曲部
２６  上向延在部
２８  第２屈曲部
３０  水平部
３２  第３屈曲部
３４  下向延在部
３６  第４屈曲部
４０  底面板
４２  側面板
４４  正面板
【図１】
2019113452.tif 000003
【図２】
2019113452.tif 000004
【図３】
2019113452.tif 000005
【図４】
2019113452.tif 000006